(57)【要約】【課題】ＰＯＮシステムにおいて、上り光信号を好適に伝送する。【解決手段】ＰＯＮシステム１０のＯＬＴ１４は、各ＯＮＵからの受光レベルおよび要求受光レベルを各ＯＮＵに通知する。各ＯＮＵは、ＯＬＴ１４から通知された受光レベルと、自身の送信光レベルとに基づいて、各ＯＮＵからＯＬＴ１４までの伝送路損失を算出し、算出された伝送路損失と、ＯＬＴ１４から通知された要求受光レベルとに基づいて、ＯＬＴ１４での受光レベルを要求受光レベルに略一致させるために必要な送信光レベルを決定し、決定された送信光レベルで光信号を送信する。【選択図】図１
2014175754.tif 000002
【特許請求の範囲】
【請求項１】
局側装置と複数の加入者側装置との間で光信号を送受信するＰＯＮシステムであって、
前記局側装置は、
各加入者側装置からの光信号を受信する光受信部と、
各光信号の受光レベルを送信元の加入者装置に通知する受光レベル通知部と、
当該局側装置が希望する受光レベルである要求受光レベルを各加入者側装置に通知する要求受光レベル通知部と、を備え、
前記加入者側装置は、
前記局側装置に光信号を送信する光送信部と、
前記局側装置から通知された受光レベルと、前記光送信部の送信光レベルとに基づいて、前記加入者側装置から前記局側装置までの伝送路損失を算出する損失算出部と、
算出された伝送路損失と、前記局側装置から通知された要求受光レベルとに基づいて、前記局側装置での受光レベルを前記要求受光レベルに略一致させるために必要な送信光レベルを決定する送信光レベル決定部と、
決定された送信光レベルで光信号が送信されるよう前記光送信部を制御する制御部とを備えることを特徴とするＰＯＮシステム。
【請求項２】
前記加入者側装置は、
前記光送信部に供給される電流値と送信光レベルとの対応関係を記載した管理テーブルを格納する管理テーブル格納部と、
前記管理テーブルを参照して前記光送信部に供給すべき電流を決定する電流決定部と、
をさらに備えることを特徴とする請求項１に記載のＰＯＮシステム。
【請求項３】
前記管理テーブルは、定期的に更新されることを特徴とする請求項２に記載のＰＯＮシステム。
【請求項４】
前記加入者側装置は、前記局側装置に対し、前記受光レベルおよび前記要求受光レベルの通知を要求する受光レベル要求部をさらに備えることを特徴とする請求項１から３のいずれかに記載のＰＯＮシステム。
【請求項５】
前記受光レベル通知部および前記要求受光レベル通知部は、前記加入者側装置に対し定期的に前記受光レベルおよび前記要求受光レベルを通知することを特徴とする請求項１から４のいずれかに記載のＰＯＮシステム。
【請求項６】
前記局側装置は、各加入者側装置からの受光レベルに基づいて、前記要求受光レベルを決定する要求受光レベル決定部をさらに備えることを特徴とする請求項１から５のいずれかに記載のＰＯＮシステム。
【請求項７】
前記要求受光レベル決定部は、各加入者側装置からの受光レベルの平均値を前記要求受光レベルに決定することを特徴とする請求項６に記載のＰＯＮシステム。
【請求項８】
前記要求受光レベル決定部は、各加入者側装置からの受光レベルの中央値を前記要求受光レベルに決定することを特徴とする請求項６に記載のＰＯＮシステム。
【請求項９】
前記要求受光レベル決定部は、各加入者側装置からの受光レベルの最頻値を前記要求受光レベルに決定することを特徴とする請求項６に記載のＰＯＮシステム。
【請求項１０】
前記要求受光レベル決定部は、前記光受信部の受信特性に応じて予め定められた固定値を前記要求受光レベルに決定することを特徴とする請求項６に記載のＰＯＮシステム。
【発明の詳細な説明】
【技術分野】
【０００１】
本発明は、局側装置と複数の加入者側装置との間で通信を行うＰＯＮ（Passive Optical Network）システムに関する。
【背景技術】
【０００２】
従来より、一般家庭等の加入者宅を対象とした加入者系光ファイバネットワークシステムとして、ＰＯＮシステムが知られている。このＰＯＮシステムは、通信事業者局舎に設置される局側装置（ＯＬＴ：Optical Line Terminal）に接続された１本の光ファイバを光スプリッタにより分岐し、複数の加入者側装置（ＯＮＵ：Optical Network Unit）と接続したものである。ＰＯＮシステムは、ＯＬＴとＯＮＵを１対１で接続するシングルスター型のシステムに比べ、複数のＯＮＵで１本の光ファイバを共用するため低コストな光通信ネットワークを構築できる（例えば、特許文献１参照）。
【先行技術文献】
【特許文献】
【０００３】
【特許文献１】特開２００７−１７３９０８号公報
【発明の概要】
【発明が解決しようとする課題】
【０００４】
ＰＯＮシステムでは、各ＯＮＵからＯＬＴへの上り光信号は、ＴＤＭＡ（Time Division Multiple Access）方式により多重化され、ＯＬＴに受信される。ＰＯＮシステムでは一般に、各ＯＮＵからＯＬＴまでの距離が異なるため、ＯＬＴは、様々なレベルの光信号を受信しなければならない。
【０００５】
しかしながら、様々なレベルの光信号を受信できるダイナミックレンジの広い光受信器を設計することは容易ではない。従来のＯＬＴは、様々なレベルの光信号を適切に受信するためにＡＧＣ（Ａｕｔｏ  Ｇａｉｎ  Ｃｏｎｔｒｏｌ）機能を備えているが、このＡＧＣ機能を実現するためには、ＯＬＴで用いる光モジュールやＩＣに特殊なものを使用する必要があり、その結果ＯＬＴのコストが高くなる可能性がある。
【０００６】
本発明はこうした状況に鑑みてなされたものであり、その目的は、ＯＮＵからＯＬＴへの上り光信号を好適に伝送できるＰＯＮシステムを提供することにある。
【課題を解決するための手段】
【０００７】
上記課題を解決するために、本発明のある態様のＰＯＮシステムは、局側装置と複数の加入者側装置との間で光信号を送受信するＰＯＮシステムである。局側装置は、各加入者側装置からの光信号を受信する光受信部と、各光信号の受光レベルを送信元の加入者装置に通知する受光レベル通知部と、当該局側装置が希望する受光レベルである要求受光レベルを各加入者側装置に通知する要求受光レベル通知部とを備える。加入者側装置は、局側装置に光信号を送信する光送信部と、局側装置から通知された受光レベルと、光送信部の送信光レベルとに基づいて、加入者側装置から局側装置までの伝送路損失を算出する損失算出部と、算出された伝送路損失と、局側装置から通知された要求受光レベルとに基づいて、局側装置での受光レベルを要求受光レベルに略一致させるために必要な送信光レベルを決定する送信光レベル決定部と、決定された送信光レベルで光信号が送信されるよう光送信部を制御する制御部とを備える。
【０００８】
なお、以上の構成要素の任意の組合せ、本発明の表現を装置、方法、システム、プログラム、プログラムを格納した記録媒体などの間で変換したものもまた、本発明の態様として有効である。
【発明の効果】
【０００９】
本発明によれば、ＯＮＵからＯＬＴへの上り光信号を好適に伝送できるＰＯＮシステムを提供できる。
【図面の簡単な説明】
【００１０】
【図１】本発明の実施形態に係るＰＯＮシステムを示す図である。
【図２】本実施形態に係るＯＬＴの構成を示す図である。
【図３】本実施形態に係るＯＮＵの構成を示す図である。
【図４】図４（ａ）〜（ｃ）は、管理テーブル格納部に格納される管理テーブルの一例を示す図である。
【図５】本実施形態に係る光レベル制御が行われる前の各ＯＮＵの送信光レベルおよびＯＬＴの受光レベルの一例を示す図である。
【図６】本実施形態に係る光レベル制御の一例を説明するための図である。
【図７】本実施形態に係る光レベル完了後の各ＯＮＵの送信光レベルおよびＯＬＴの受光レベルの一例を示す図である。
【発明を実施するための形態】
【００１１】
図１は、本発明の実施形態に係るＰＯＮシステム１０を示す図である。図１に示すように、ＰＯＮシステム１０は、局側装置（ＯＬＴ）１４に接続された１本の基幹光ファイバ１１が光スプリッタ１６_１〜１６_３により複数の分岐光ファイバ１３_１〜１３_４に分岐され、該分岐光ファイバ１３_１〜１３_４の端部に複数の加入者側装置（ＯＮＵ）１２_１〜１２_４が接続された構成となっている。
【００１２】
ＰＯＮシステム１０においては、ＯＬＴ１４から各ＯＮＵ１２_１〜１２_４への下り光信号は、時分割多重（ＴＤＭ：Ｔｉｍｅ  Ｄｉｖｉｓｉｏｎ  Ｍｕｌｔｉｐｌｅｘｉｎｇ）により多重化された連続的な光信号である。一方、各ＯＮＵ１２_１〜１２_４からＯＬＴ１４への上り光信号は、ＴＤＭＡ方式により多重化される。ＴＤＭＡでは、各ＯＮＵ１２_１〜１２_４からの光信号が衝突するのを防ぐため、各光信号間にガードタイムと呼ばれる無信号区間が挿入される。そのため、ＯＬＴ１４から各ＯＮＵ１２_１〜１２_４への下り光信号が連続的な光信号となるのと異なり、各ＯＮＵ１２_１〜１２_４からＯＬＴ１４への上り光信号は、信号の送出が間欠的に行われるバースト状の光信号となる。
【００１３】
ＰＯＮシステム１０においては、各ＯＮＵ１２_１〜１２_４からＯＬＴ１４までの距離が異なり、また各上り光信号が通過する光スプリッタの数が異なる。従って、ＰＯＮシステム１０においては、ＯＮＵ１２_１〜１２_４ごとに伝送路損失が異なる。本実施形態に係るＰＯＮシステム１０では、各ＯＮＵ１２_１〜１２_４が自発的に送信光レベルを調整することにより、ＯＬＴ１４が受信する各光信号の光レベルを略一定にすることができる。
【００１４】
図２は、本実施形態に係るＯＬＴ１４の構成を示す図である。図２は、主にＯＮＵからの上り光信号を受信するための構成要素を示す。
【００１５】
図２に示すように、ＯＬＴ１４は、各ＯＮＵとの間で光信号を送受信する光送受信部２０と、光送受信部２０の受信モジュールで受信した各光信号の受光レベルを検出する受光レベル検出部２６と、フレームの転送処理を行うフレーム転送部２１と、フレーム転送部２１から転送されたデータフレームに所定の終端処理を施し、ＯＬＴ１４の上位ネットワークに送出する主信号処理部２２と、本実施形態の光レベル制御に関係する様々な情報を処理するＯＬＴ情報処理部２３と、ＯＬＴ情報処理部２３と情報をやり取りし、所定の情報を格納する情報格納部２４とを備える。
【００１６】
ＯＬＴ情報処理部２３は、受光レベル通知部２７と、要求受光レベル決定部２５と、要求受光レベル通知部２８とを備える。
【００１７】
受光レベル通知部２７は、受光レベル検出部２６にて検出された各光信号の受光レベルＰｒ［ｄＢｍ］を、各光信号の送信元のＯＮＵに通知する機能を有する。この受光レベルＰｒの各ＯＮＵへの通知は、ＩＥＥＥ８０２．３で規定されたＧＥ−ＰＯＮの制御フレームであるＯＡＭ（Operation,Administration,Maintenance）フレームを用いて行われてよい。
【００１８】
要求受光レベル決定部２５は、各ＯＮＵからの上り光信号の受光レベルに基づいて、要求受光レベルＰｒ’［ｄＢｍ］を決定する。「要求受光レベル」とは、ＯＬＴ１４が受信する全ての光信号に対し、ＯＬＴ１４が希望する受光レベルであり、例えば「Ｐｒ’＝−１６ｄＢｍ」というように決定される。例えば、要求受光レベル決定部２５は、各ＯＮＵからの受光レベルの平均値を要求受光レベルＰｒ’に決定してもよい。または、要求受光レベル決定部２５は、各ＯＮＵからの受光レベルの中央値を要求受光レベルＰｒ’に決定してもよい。または、要求受光レベル決定部２５は、各ＯＮＵからの受光レベルの最頻値を要求受光レベルＰｒ’に決定してもよい。または、要求受光レベル決定部２５は、予め定められた固定値を要求受光レベルＰｒ’に決定してもよい。この固定値は、光送受信部２０の有する受信モジュールの受信特性に応じて定められてよい。
【００１９】
要求受光レベル通知部２８は、要求受光レベル決定部２５にて決定された要求受光レベルＰｒ’を、ＯＬＴ１４に接続されている各ＯＮＵに通知する。この要求受光レベルＰｒ’の各ＯＮＵへの通知は、ＯＡＭフレームを用いて行われてよい。
【００２０】
受光レベル通知部２７、要求受光レベル通知部２８による受光レベルＰｒ、要求受光レベルＰｒ’の各ＯＮＵへの通知は、定期的（例えば１時間に１回、または１日に１回など）になされてもよい。定期的な通知を行うことにより、常に最新の情報を各ＯＮＵに提供できる。それに加えてまたは代えて、受光レベル通知部２７、要求受光レベル通知部２８は、ＯＮＵ１２から要求があったときに、受光レベルＰｒ、要求受光レベルＰｒ’をＯＮＵに通知してもよい。これにより、例えば新たにＯＬＴ１４に接続されたＯＮＵが受光レベルＰｒおよび要求受光レベルＰｒ’を取得できる。
【００２１】
情報格納部２４は、ＯＬＴ１４に接続されているＯＮＵごとに受光レベルＰｒを格納する。また、情報格納部２４は、要求受光レベル決定部２５にて決定された要求受光レベルＰｒ’を格納する。
【００２２】
以上、本実施形態に係るＯＬＴ１４の構成を説明した。なお当然ながら、ＯＬＴ１４は、上述した構成要素の他に、各ＯＮＵの光信号の送信順序および各ＯＮＵに割り当てる信号帯域が制御する動的帯域割当機能（ＤＢＡ（Dynamic Bandwidth Allocation）を実現するための構成要素を備える。
【００２３】
図３は、本実施形態に係るＯＮＵ１２の構成を示す図である。図３は、主にＯＬＴに上り光信号を送信するための構成要素を示す。
【００２４】
図３に示すように、ＯＮＵ１２は、ＯＬＴとの間で光信号を送受信する光送受信部３０と、光送受信部３０の有する送信モジュールへの供給電流Ｉを制御する電流制御部３３と、フレームの転送処理を行うフレーム転送部３１と、下位ネットワークから受信した主信号に所定のフレーム処理を施し、フレーム転送部３１にデータフレームを出力する主信号処理部３２と、本実施形態の光レベル制御に関係する様々な情報を処理するＯＮＵ情報処理部３４と、本実施形態の光レベル制御に用いられる情報を管理する管理テーブルを格納する管理テーブル格納部３５とを備える。
【００２５】
ＯＮＵ情報処理部３４は、受光レベル取得部３７と、要求受光レベル取得部３８と、送信光レベル検出部３９と、損失算出部４０と、送信光レベル決定部４１と、電流決定部４２と、受光レベル要求部４３と、管理テーブル更新部４４とを備える。
【００２６】
受光レベル取得部３７は、ＯＬＴから通知される受光レベルＰｒを取得する。受光レベルＰｒの取得は、例えばＯＬＴから受信したＯＡＭフレームから当該情報を抽出することによりなされる。
【００２７】
要求受光レベル取得部３８は、ＯＬＴから通知される要求受光レベルＰｒ’を取得する。要求受光レベルＰｒ’の取得は、例えばＯＬＴから受信したＯＡＭフレームから当該情報を抽出することによりなされる。
【００２８】
送信光レベル検出部３９は、光送受信部３０からＯＬＴに向けて送信された光信号の光レベル（送信光レベルＰｔ［ｄＢｍ］）を検出する。
【００２９】
損失算出部４０は、ＯＬＴから通知された受光レベルＰｒ［ｄＢｍ］と、光送受信部３０の送信光レベルＰｔ［ｄＢｍ］とに基づいて、ＯＮＵ１２からＯＬＴまでの伝送路損失を算出する。伝送路損失Ｌ［ｄＢ］は、以下の（１）式のように算出される。
Ｌ＝Ｐｔ−Ｐｒ  ・・・（１）
【００３０】
送信光レベル決定部４１は、損失算出部４０で算出された伝送路損失Ｌ［ｄＢ］と、ＯＬＴから通知された要求受光レベルＰｒ’［ｄＢｍ］とに基づいて、ＯＬＴでの受光レベルＰｒを要求受光レベルＰｒ’に略一致させるために必要な送信光レベルＰｔ’［ｄＢｍ］を決定する。必要送信光レベルＰｔ’は、以下の（２）式のように算出される。
Ｐｔ’＝Ｐｒ’＋Ｌ  ・・・（２）
【００３１】
電流決定部４２は、送信光レベル決定部４１で決定された必要送信光レベルＰｔ’を達成するために光送受信部３０の送信モジュールに供給すべき電流Ｉ’を決定する。この必要供給電流Ｉ’は、管理テーブル格納部３５に格納された管理テーブルを参照して決定される。電流決定部４２で決定された必要供給電流Ｉ’は、電流制御部３３に与えられる。電流制御部３３は、光送受信部３０の送信モジュールへの供給電流Ｉが必要供給電流Ｉ’となるよう制御する。これにより、光送受信部３０の送信光レベルＰｔが、送信光レベル決定部４１で決定された必要送信光レベルＰｔ’となる。
【００３２】
受光レベル要求部４３は、ＯＬＴの受光レベル通知部２７および要求受光レベル通知部２８に対し、受光レベルＰｒおよび要求受光レベルＰｒ’の通知を要求する。この受光レベルＰｒおよび要求受光レベルＰｒ’の通知要求は、ＯＡＭフレームを用いて行われてよい。
【００３３】
管理テーブル更新部４４は、管理テーブル格納部３５に格納された管理テーブルを更新する。ＯＮＵ１２がＯＬＴに接続された場合、管理テーブル格納部３５は管理テーブルを作成する。その後、管理テーブル更新部４４は、定期的（例えば１時間に１回、または１日に１回など）に管理テーブルを更新する。
【００３４】
図４（ａ）〜（ｃ）は、管理テーブル格納部３５に格納される管理テーブルの一例を示す。管理テーブルは、図４（ａ）に示す自装置内情報と、図４（ｂ）に示すＯＬＴからの取得情報と、図４（ｃ）に示す検出・算出情報とを含む。
【００３５】
図４（ａ）の自装置内情報は、ＯＮＵ１２の光送受信部３０の送信光レベルＰｔと、光送受信部３０の送信モジュールへの供給電流Ｉとの対応関係を含む。この対応関係は、ＯＮＵ１２の製造時に測定されてもよいし、ＯＮＵ１２の起動時、すなわちＯＮＵ１２とＯＬＴ１４とのリンクが確立されたときに測定されてもよい。ＯＮＵ１２の起動時に測定する場合、図４（ａ）に示すように、例えば送信光レベルが−３ｄＢｍ、０ｄＢｍ、＋３ｄＢｍとなるときの供給電流Ｉを計測し、比例計算によりそれらの間の−２ｄＢｍ、−１ｄＢｍ、＋１ｄＢｍ、＋２ｄＢｍのときの供給電流が算出されてもよい。この方法により、送信光レベルＰｔと供給電流Ｉとの対応関係を迅速に測定できる。
【００３６】
図４（ｂ）のＯＬＴからの取得情報は、ＯＬＴ１４の受光レベル通知部２７、要求受光レベル通知部２８から通知された受光レベルＰｒ、要求受光レベルＰｒ’を含む。これらの情報は、ＯＮＵ情報処理部３４の受光レベル取得部３７、要求受光レベル取得部３８により管理テーブルに書き込まれる。
【００３７】
図４（ｃ）の検出・算出情報は、送信光レベル検出部３９で検出された送信光レベルＰｔ、損失算出部４０で算出された伝送路損失Ｌ、送信光レベル決定部４１で決定された必要送信光レベルＰｔ’、および電流決定部４２で決定された必要供給電流Ｉ’を含む。
【００３８】
図４（ａ）〜（ｃ）に示す管理テーブルの一例を用いて必要供給電流Ｉ’の導出工程を説明すると、まず、上述の（１）式を用いて伝送路損失Ｌが算出される。Ｌ＝Ｐｔ−Ｐｒ＝−１ｄＢｍ−（−１５ｄＢｍ）＝１４ｄＢである。次に、上述の（２）式を用いて、必要送信光レベルＰｔ’が算出される。Ｐｔ’＝Ｐｒ’＋Ｌ＝−１６ｄＢｍ＋１４ｄＢｍ＝−２ｄＢである。最後に、図４（ａ）の自装置内情報を参照して、必要送信光レベルＰｔ’＝−２ｄＢｍを達成するための必要供給電流Ｉ’を１３ｍＡと決定することができる。
【００３９】
次に、本実施形態に係るＰＯＮシステム１０の動作について図５〜７を参照して説明する。図５は、本実施形態に係る光レベル制御が行われる前の各ＯＮＵの送信光レベルおよびＯＬＴの受光レベルの一例を示す。ここでは、ＯＬＴ１４に接続されたＯＮＵ１２_１〜１２_４は、光レベル制御開始前において、送信光レベルＰｔ１〜Ｐｔ４＝０ｄＢｍで光信号を送信しているものとする。
【００４０】
ＰＯＮシステム１０においては、各ＯＮＵ１２_１〜１２_４からＯＬＴ１４までの距離、光スプリッタの数が異なるため、各光伝送路の伝送路損失が異なる。従って、ＯＮＵ１２_１〜１２_４からの送信光レベルＰｔが全て同じ（すなわちＰｔ１〜Ｐｔ４＝０ｄＢｍ）であるとしても、ＯＬＴ１４での各ＯＮＵの受光レベルＰｔ１〜Ｐｔ４は異なる。ここでは、ＯＬＴ１４において、ＯＮＵ１２_１からの光信号の受光レベルＰｒ１が−９ｄＢｍ、ＯＮＵ１２_２からの光信号の受光レベルＰｒ２が−１３ｄＢｍ、ＯＮＵ１２_３からの光信号の受光レベルＰｒ３が−１５ｄＢｍ、ＯＮＵ１２_４からの光信号の受光レベルＰｒ４が−１１ｄＢｍであるとする。
【００４１】
図６は、本実施形態に係る光レベル制御の一例を説明するための図である。上述したように、ＯＬＴ１４の要求受光レベル決定部２５は、各ＯＮＵ１２_１〜１２_４からの上り光信号の受光レベルＰｒ１〜Ｐｒ４に基づいて、要求受光レベルＰｒ’［ｄＢｍ］を決定する。ここでは、要求受光レベル決定部２５は、各ＯＮＵ１２_１〜１２_４からの受光レベルＰｒ１〜Ｐｒ４の平均値を要求受光レベルＰｒ’に決定するとする。本例において、受光レベルＰｒ１〜Ｐｒ４の平均値は−１２ｄＢｍである。
【００４２】
次に、ＯＬＴ１４の受光レベル通知部２７および要求受光レベル通知部２８は、受光レベルおよび要求受光レベルを各ＯＮＵに通知する。本例では、図６に示すように、ＯＮＵ１２_１には、受光レベルＰｒ１＝−９ｄＢｍおよび要求受光レベルＰｒ’＝−１２ｄＢｍが通知される。また、ＯＮＵ１２_２には、受光レベルＰｒ２＝−１３ｄＢｍおよび要求受光レベルＰｒ’＝−１２ｄＢｍが通知される。また、ＯＮＵ１２_３には、受光レベルＰｒ３＝−１５ｄＢｍおよび要求受光レベルＰｒ’＝−１２ｄＢｍが通知される。また、ＯＮＵ１２_４には、受光レベルＰｒ４＝−１１ｄＢｍおよび要求受光レベルＰｒ’＝−１２ｄＢｍが通知される。
【００４３】
図７は、本実施形態に係る光レベル完了後の各ＯＮＵの送信光レベルおよびＯＬＴの受光レベルの一例を示す。上述したように、各ＯＮＵ１２_１〜１２_４の損失算出部４０は、ＯＬＴ１４から通知された受光レベルＰｒ１〜Ｐｒ４と、送信光レベルＰｔ１〜Ｐｔ４とに基づいて、各ＯＮＵ１２_１〜１２_４とＯＬＴ１４との間の伝送路損失Ｌ１〜Ｌ４を算出する（（１）式参照）。すなわち、ＯＮＵ１２_１とＯＬＴ１４との間の伝送路損失Ｌ１＝９ｄＢ、ＯＮＵ１２_２とＯＬＴ１４との間の伝送路損失Ｌ２＝１３ｄＢ、ＯＮＵ１２_３とＯＬＴ１４との間の伝送路損失Ｌ３＝１５ｄＢ、ＯＮＵ１２_４とＯＬＴ１４との間の伝送路損失Ｌ４＝１１ｄＢと算出される。
【００４４】
次に、各ＯＮＵ１２_１〜１２_４の送信光レベル決定部４１は、ＯＬＴ１４から通知された要求受光レベルＰｒ’と、伝送路損失Ｌ１〜Ｌ４とに基づいて、必要送信光レベルＰｔ１’〜Ｐｔ４’を算出する（（２）式参照）。すなわち、ＯＮＵ１２_１の必要送信光レベルＰｔ１’＝−３ｄＢｍ、ＯＮＵ１２_２の必要送信光レベルＰｔ２’＝＋１ｄＢｍ、ＯＮＵ１２_３の必要送信光レベルＰｔ３’＝＋３ｄＢｍ、ＯＮＵ１２_４の必要送信光レベルＰｔ４’＝−１ｄＢｍと算出される。その後、各ＯＮＵ１２_１〜１２_４の電流決定部４２は、それぞれの管理テーブルを参照して、必要供給電流Ｉ１’〜Ｉ４’を決定する。この必要供給電流Ｉ１’〜Ｉ４’が各ＯＮＵ１２_１〜１２_４の送信モジュールに供給されることにより、図７に示すように、ＯＮＵ１２_１から送信される光信号の送信光レベルＰｔ１が−３ｄＢｍとなり、ＯＮＵ１２_２から送信される光信号の送信光レベルＰｔ２が＋１ｄＢｍとなり、ＯＮＵ１２_３から送信される光信号の送信光レベルＰｔ３が＋３ｄＢｍとなり、ＯＮＵ１２_４から送信される光信号の送信光レベルＰｔ４が−１ｄＢｍとなる。
【００４５】
以上のようにして各ＯＮＵ１２_１〜１２_４の送信光レベルが調整された結果、ＯＬＴ１４での各ＯＮＵ１２_１〜１２_４からの受光レベルＰｒ１〜Ｐｒ４が一定（すなわちＰｒ１〜Ｐｒ４＝−１２ｄＢｍ）となる。受光レベルＰｒ１〜Ｐｒ４が一定となることにより、ＯＬＴ１４の光送受信部２０が有する受信モジュールは、部品が高価になりがちなＡＧＣ機能を具備しなくても、あるいはそれほど高性能なＡＧＣ機能を具備しなくても、上り光信号を好適に受信できる。従って、本実施形態によれば、安価且つ上り光信号を好適に伝送できるＰＯＮシステム１０を実現できる。
【００４６】
なお、本実施形態では、必要送信光レベルＰｔ’は、ＯＬＴ１４での受光レベルＰｒが要求受光レベルＰｒ’に略一致するように設定されるが、「ＯＬＴ１４での受光レベルＰｒが要求受光レベルＰｒ’に略一致」とは、受光レベルＰｒと要求受光レベルＰｒ’とが正確に一致している必要はなく、本発明の効果であるＡＧＣ機能を用いることなく好適な上り光信号の伝送が達成可能な程度に受光レベルＰｒと要求受光レベルＰｒ’が近ければよい。
【００４７】
本実施形態に係るＰＯＮシステム１０は、各ＯＮＵ１２において自発的に自身の送信光レベルを調整する構成となっている。ＯＮＵ１２の送信光レベルを調整する方法としては、ＯＬＴ１４が各ＯＮＵ１２の送信光レベルを決定し、各ＯＮＵ１２に指示を出す構成も考えられる。しかしながらこの場合、ＯＬＴ１４は、複数のＯＮＵ１２に関して個別に送信光レベルを算出し、各ＯＮＵ１２に指示を出す必要があり、ＯＬＴ１４のＣＰＵにかかる負荷が増大する可能性がある。例えば、ＧＥ−ＰＯＮでは、１つのＯＬＴ１４に最大３２台のＯＮＵが接続されるので、ＯＬＴ１４は最大３２台のＯＮＵ１２に対して個別に送信光レベルを制御することになり、ＯＬＴ１４のＣＰＵにかかる負荷は非常に大きい。
【００４８】
一方、本実施形態に係るＰＯＮシステム１０では、ＯＬＴ１４は、各ＯＮＵ１２からの受光レベルＰｒと、自身が希望する要求受光レベルＰｒ’とを各ＯＮＵ１２に通知するだけでよく、ＯＮＵ１２の送信光レベルの調整は、各ＯＮＵ１２が自発的に行う。従って、各ＯＮＵ１２に対して個別に送信光レベルの制御を行う必要がないので、ＯＬＴ１４のＣＰＵの負荷が増大する事態を回避できる。
【００４９】
以上、本発明を実施の形態をもとに説明した。この実施の形態は例示であり、それらの各構成要素や各処理プロセスの組合せにいろいろな変形例が可能なこと、またそうした変形例も本発明の範囲にあることは当業者に理解されるところである。
【符号の説明】
【００５０】
１０  ＰＯＮシステム、  １２  ＯＮＵ、  １４  ＯＬＴ、  ２０、３０  光送受信部、  ２１、３１  フレーム転送部、  ２２、３２  主信号処理部、  ２３  ＯＬＴ情報処理部、  ２４  情報格納部、  ２５  要求受光レベル決定部、  ２６  受光レベル検出部、  ２７  受光レベル通知部、  ２８  要求受光レベル通知部、  ３３  電流制御部、  ３４  ＯＮＵ情報処理部、  ３５  管理テーブル格納部、  ３７  受光レベル取得部、  ３８  要求受光レベル取得部、  ３９  送信光レベル検出部、  ４０  損失算出部、  ４１  送信光レベル決定部、  ４２  電流決定部、  ４３  受光レベル要求部、  ４４  管理テーブル更新部。
【図１】
2014175754.tif 000003
【図２】
2014175754.tif 000004
【図３】
2014175754.tif 000005
【図４】
2014175754.tif 000006
【図５】
2014175754.tif 000007
【図６】
2014175754.tif 000008
【図７】
2014175754.tif 000009